(57)【要約】【課題】装置のコストダウンを図ることができる液体吐出ヘッド、液体を吐出する装置、および、液体吐出ヘッドの製造方法を提供する。【解決手段】インクなど液体を吐出する複数のノズル３１と、複数のノズルにそれぞれ通じる複数の個別液室２３と、複数の個別液室２３に通じる供給共通液室１２などの共通液室とを備え、共通液室は、ヘッド外部に到る複数の連通部１２１ａ，１２１ｂなどの拡張部を有する液体吐出ヘッドにおいて、複数の拡張部のうちの少なくともひとつは、部品が接続可能なカップリング部材などの接続部と、前記接続部と前記共通液室との間の流路を開閉する開閉弁８０ｂ２とを備えた流路形成手段（本実施形態では、第一接続管７１と開閉弁８０ｂ２を有する第二カップリング部材８０ｂとで構成）が接続されており、残りの拡張部は液体が流れるような状態に変更不能に封止されている。【選択図】図１
2019130873.tif 000002
【特許請求の範囲】
【請求項１】
液体を吐出する複数のノズルと、
複数の前記ノズルにそれぞれ通じる複数の個別液室と、
複数の前記個別液室に通じる共通液室とを備え、
前記共通液室は、ヘッド外部に到る複数の拡張部を有する液体吐出ヘッドにおいて、
複数の拡張部のうちの少なくともひとつは、部品が接続可能な接続部と、前記接続部と前記共通液室との間の流路を開閉する開閉弁とを備えた流路形成手段が接続されており、
残りの拡張部は、前記液体が流れるような状態に変更不能に封止したことを特徴とする液体吐出ヘッド。
【請求項２】
請求項１に記載の液体吐出ヘッドにおいて、
前記残りの拡張部または前記残りの拡張部に接続された筒状部材が潰された封止部を設けることで、前記残りの拡張部を前記液体が流れるような状態に変更不能に封止したことを特徴とする液体吐出ヘッド。
【請求項３】
請求項２に記載の液体吐出ヘッドにおいて、
前記残りの拡張部の内層または前記残りの拡張部に接続された筒状部材の内層は、熱可塑性樹脂で形成されており、前記内層が溶着されて前記封止部が形成されていることを特徴とする液体吐出ヘッド。
【請求項４】
請求項１乃至３いずれか一項に記載の液体吐出ヘッドにおいて、
前記共通液室は、前記個別液室に前記液体を供給する供給共通液室であり、
前記供給共通液室のノズル配列方向両端にそれぞれ前記拡張部が形成されていることを特徴とする液体吐出ヘッド。
【請求項５】
請求項４に記載の液体吐出ヘッドにおいて、
複数の前記個別液室から前記液体が流れ込む循環共通液室を有し、
前記循環共通液室は、ヘッド外部に到る複数の循環拡張部を有しており、
複数の循環拡張部のうちの少なくともひとつは、部品が接続可能な接続部と、この接続部と前記循環共通液室との間の流路を開閉する開閉弁とを備えた流路形成手段が接続されており、残りの循環拡張部は、前記液体が流れるような状態に変更不能に封止されていることを特徴とする液体吐出ヘッド。
【請求項６】
請求項５に記載の液体吐出ヘッドにおいて、
前記循環共通液室のノズル配列方向の両端それぞれに前記循環拡張部が設けられていることを特徴とする液体吐出ヘッド。
【請求項７】
液体を吐出させる液体吐出ヘッドを備えた液体を吐出する装置において、
前記液体吐出ヘッドとして、請求項１乃至６いずれか一項に記載の液体吐出ヘッドを用いたことを特徴とする液体を吐出する装置。
【請求項８】
液体を吐出する複数のノズルと、複数の前記ノズルにそれぞれ通じる複数の個別液室と、複数の前記個別液室に通じる共通液室とを備え、前記共通液室は、ヘッド外部に到る複数の拡張部を有する液体吐出ヘッドを製造する液体吐出ヘッドの製造方法において、
複数の拡張部のうちの少なくともひとつに、部品が接続可能な接続部と、前記接続部と前記共通液室との間の流路を開閉する開閉弁とを備えた流路形成手段を接続する工程と、
複数の拡張部の少なくともひとつから前記共通液室へ液体を供給して液体吐出ヘッド内へ液体を充填する工程と、
前記流路形成手段が接続されていない残りの拡張部に、部品接続不能な封止部を形成する工程とを有することを特徴とする液体吐出ヘッドの製造方法。
【請求項９】
請求項８に記載の液体吐出ヘッドの製造方法において、
前記残りの拡張部、または、前記残りの拡張部に接続された筒状部材を溶着により溶着して前記封止部を形成したことを特徴とする液体吐出ヘッドの製造方法。
【発明の詳細な説明】
【技術分野】
【０００１】
本発明は、液体吐出ヘッド、液体を吐出する装置及び液体吐出ヘッドの製造方法に関するものである。
【背景技術】
【０００２】
従来、液体を吐出する複数のノズルと、複数のノズルにそれぞれ通じる複数の個別液室と、複数の個別液室に通じる共通液室とを備え、共通液室は、ヘッド外部に到る複数の拡張部を有する液体吐出ヘッドが知られている。
【０００３】
特許文献１には、上記液体吐出ヘッドとして、共通液室のノズル配列方向両端それぞれにヘッド外部に到る拡張部を有するものが記載されている。一方の拡張部には排出管の一端が接続されており、他方の拡張部には供給管の一端が接続されている。排出管の他端には排出側開閉弁が取り付けられている。供給管の他端にはインクを一時貯留するヘッドタンクに接続されている。このヘッドタンクには供給チューブの一端が接続されている。この供給チューブの他端には開閉弁（バルブ）を有するヘッド側供給継手が取りつけられている。
【０００４】
空の液体吐出ヘッドにインクを充填する初期充填を行なうときは、インク充填ユニットのインクボトルに一端が接続されたチューブの他端に取り付けられた充填側継手をヘッド側供給継手に接続してヘッド側供給継手の開閉弁を開く。また、インク充填ユニットの廃液タンクに一端が接続されたチューブの他端に取り付けられた排出側継手を排出管の他端に取り付けられた開閉弁に接続して開閉弁を開く。次に、インクボトルのインクを送り出す。インクボトルから送り出されてインクは、供給チューブ内を移動してヘッドタンクへ流れ込む。そして、ヘッドタンクから供給管へ流れて液体吐出ヘッドに流れ込む。液体吐出ヘッドにインクが充填され、インクが廃液タンクに排出されてきたらインクの供給を停止し初期充填動作を終了する。初期充填動作終了後、開閉弁を閉じるとともに上記充填側継手を上記ヘッド側供給継手から取り外す。また、排出側開閉弁を閉じた後、排出側開閉弁から排出側継手を取り外す。各開閉弁を閉じることで各拡張部が封止され、初期充填後に液体吐出ヘッドに空気が流入したり、インクが漏れ出したりすることが抑制される。
【発明の概要】
【発明が解決しようとする課題】
【０００５】
しかしながら、特許文献１に記載の装置においては、装置のコストアップに繋がるおそれがあった。
【課題を解決するための手段】
【０００６】
上述した課題を解決するために、本発明は、液体を吐出する複数のノズルと、複数の前記ノズルにそれぞれ通じる複数の個別液室と、複数の前記個別液室に通じる共通液室とを備え、前記共通液室は、ヘッド外部に到る複数の拡張部を有する液体吐出ヘッドにおいて、複数の拡張部のうちの少なくともひとつは、部品が接続可能な接続部と、前記接続部と前記共通液室との間の流路を開閉する開閉弁とを備えた流路形成手段が接続されており、残りの拡張部は、前記液体が流れるような状態に変更不能に封止したことを特徴とするものである。
【発明の効果】
【０００７】
本発明によれば、装置のコストダウンを図ることができる。
【図面の簡単な説明】
【０００８】
【図１】本実施形態の液体吐出ヘッドの液体流路の構成を示す模式図。
【図２】封止機能付きカップリングの概略図。
【図３】一つの個別液室をノズル配列方向と直交する方向に沿って切断した断面図。
【図４】初期充填動作時における液体流路の一例を示す模式図。
【図５】初期充填後の作業について説明する図。
【図６】従来の液体吐出ヘッドを示す模式図。
【図７】変形例の液体吐出ヘッドの液体流路の構成を示す模式図。
【図８】一つの個別液室をノズル配列方向と直交する方向に沿って切断した変形例の液体吐出ヘッドの断面図。
【図９】インク循環システムの一例を示すブロック図。
【図１０】インク循環システムの他の例を示すブロック図。
【図１１】本実施形態に係る液体を吐出する装置の要部平面説明図。
【図１２】本実施形態に係る液体を吐出する装置の要部側面説明図。
【図１３】同ユニットの要部平面説明図。
【発明を実施するための形態】
【０００９】
図１は、本実施形態の液体吐出ヘッド４３４の液体流路の構成を示す模式図である。
本実施形態に係る液体吐出ヘッド４３４には、液体たるインクを吐出する複数のノズル３１と、これらノズル３１に対応して複数の個別液室２３とが設けられている。また、液体吐出ヘッド４３４は、各個別液室にインクを供給する供給共通液室１２を有している。
【００１０】
供給共通液室１２のノズル配列方向（図中左右方向）の一端（図中右側）には、供給共通液室１２からヘッドの外部にまで延びて、外部と連通する拡張部たる第一連通部１２１ａが設けられており、他端には、拡張部たる第二連通部１２１ｂが設けられている。第一連通部１２１ａには、第一接続管７１の一端が取り付けられており、第一接続管７１の他端には、接続部としての封止機能付きカップリング８０の第二カップリング部材８０ｂが取り付けられている。封止機能付きカップリング８０の第一カップリング部材８０ａは、インクを一次貯留したヘッドタンクに一端が接続された供給管７４の他端に取り付けられている。通常のインク吐出動作においては、第一連通部１２１ａを介してヘッドタンクのインクが液体吐出ヘッド４３４に供給される。
【００１１】
また、第二連通部１２１ｂには、第二接続管７２の一端が接続されており、この第二接続管７２の他端には封止部７３が形成されている。この封止部７３は、後述するように溶着等により潰されて形成されたものである。
【００１２】
図２は、封止機能付きカップリング８０の概略図である。
封止機能付きカップリング８０は、第一カップリング部材８０ａと、第二カップリング部材８０ｂとを有している。各カップリング部材８０ａ,８０ｂには、それぞれバネ８０ａ１,８０ｂ１で付勢された開閉弁８０ａ２,８０ｂ２が備えられている。離間時（非連結時）は開閉弁８０ａ２,８０ｂ２が閉じた状態で流路が封止され、連結時には互いに開閉弁８０ａ２,８０ｂ２を押し下げて開く構成となっていて、押し下げることで流路を開く構成になっている。このような封止機能付きカップリング８０としては、ＣＰＣ製のノンスピルカップリングなど、市販されているものを使用することができる。
【００１３】
図３は、一つの個別液室２３をノズル配列方向と直交する方向に沿って切断した断面図である。
図３に示すように、液体吐出ヘッド４３４は、供給共通液室１２が形成されたフレーム１と、複数の個別液室２３等が形成された流路板２と、複数のノズル３１が形成されたノズル板３と、振動板６とを備えている。さらに、複数の個別液室２３に対応して設けられた複数の圧力発生素子である積層圧電素子５と、積層圧電素子５を固定しているベース４とを備えている。
【００１４】
上記ノズル板３は金属材料、例えば電鋳工法によるＮｉメッキ膜等で形成したもので、インク滴を飛翔させるための微細な吐出口であるノズル３１を多数形成している。このノズル３１の内部形状（内側形状）は、ホーン形状（略円柱形状又は略円錘台形状でもよい。）に形成している。また、このノズル３１の径はインク滴出口側の直径で約２０［μｍ］〜３５［μｍ］である。また各列のノズルピッチは１５０［ｄｐｉ］とした。
【００１５】
このノズル板３のインク吐出面（ノズル表面側）は、撥水性の表面処理を施した撥水処理層を設けている。例えば、ＰＴＦＥ−Ｎｉ共析メッキやフッ素樹脂の電着塗装、蒸発性のあるフッ素樹脂（例えばフッ化ピッチなど）を蒸着コートしたもの、シリコン系樹脂・フッ素系樹脂の溶剤塗布後の焼き付け等、インク物性に応じて選定した撥水処理層を設けている。これにより、インクの滴形状、飛翔特性を安定化し、高品位の画像品質を得られるようにしている。
【００１６】
上記流路板２は、ノズル板３に積層される形で設けられており、複数の個別液室２３のほかに、供給共通液室１２から個別液室２３へインクを導入する複数の導入部２０、振動板６のダンパ６４に対応する凹状のダンパ室２４を有している。このダンパ室２４は、ダンパ６４を挟んで供給共通液室１２に対向する。また、流路板２は、個別液室２３と導入部２０との間に供給流体抵抗部２１を有している。
【００１７】
流路板２は、シリコン単結晶基板を用いて、個別液室２３、導入部２０およびダンパ室２４をエッチング工法でパターニングして形成している。また、この液体吐出ヘッド４３４ではエッチング幅を狭くする部分を設けて、これを供給流体抵抗部２１とした。
【００１８】
上記振動板６は、流路板２に積層される形で設けられており、薄膜のダイヤフラム部６２と、これの中央部に形成した積層圧電素子５と接合する島状凸部６１と、供給共通液室１２と導入部２０とを連通するインク流入口６３と、薄膜のダンパ６４とを有している。薄膜のダイヤフラム部６２、島状凸部６１と、インク流入口６３は、個別液室２３に対応させて複数有している。
【００１９】
積層圧電素子５は、島状凸部６１に接着層７を介して接合されている。積層圧電素子５は、厚さ１０［μｍ］〜５０［μｍ］／１層のチタン酸ジルコン酸鉛（ＰＺＴ）の圧電層と、厚さ数［μｍ／１層］の銀・パラジューム（ＡｇＰｄ）からなる内部電極層とを交互に積層している。内部電極層は両端で外部電極に接続する。積層圧電素子５はハーフカットのダイシング加工により櫛歯状に分割され、１つ毎に駆動部と支持部（非駆動部）として使用する。外部電極の外側はハーフカットのダイシング加工で分割されるように、切り欠き等の加工により長さを制限しており、これらは複数の個別電極となる。他方はダイシング加工では分割されずに導通しており共通電極となる。
【００２０】
積層圧電素子５の個別電極にはＦＰＣ（フレキシブルプリント回路）が半田接合されている。また、共通電極は積層圧電素子５の端部に電極層を設けて回し込んでＦＰＣのＧｎｄ電極に接合している。ＦＰＣにはヘッド制御部であるヘッドドライバが実装されており、これにより駆動部への駆動電圧印加を制御している。
【００２１】
積層圧電素子５を固定しているベース４は、チタン酸バリウム系セラミックからなり、積層圧電素子５を２列配置して接合している。また、供給共通液室１２が形成されたフレーム１は樹脂成形で作製している。また、このフレーム１のノズル配列方向両端に、供給共通液室１２の壁の外周面である上面に到るように形成された第一連通部１２１ａと第二連通部１２１ｂも形成されている。
【００２２】
このように構成した液体吐出ヘッド４３４においては、記録信号に応じて積層圧電素子５に駆動パルスで構成される駆動波形（１０［Ｖ］〜５０［Ｖ］のパルス電圧）を印加する。これによって、積層圧電素子５に積層方向の変位が生起し、振動板６を介して個別液室２３が加圧されて圧力が上昇し、ノズル３１からインク滴が吐出される。その後、インク滴吐出の終了に伴い、個別液室２３内のインク圧力が低減し、インクの流れの慣性と駆動電圧（駆動パルス）の放電過程によって個別液室２３内に負圧が発生してインク充填工程へ移行する。具体的には、供給共通液室１２のインクが、供給共通液室１２からインク流入口６３を経て供給流体抵抗部２１を通り、個別液室２３内に充填される。
【００２３】
供給流体抵抗部２１は、吐出後の残留圧力振動の減衰に効果がある反面、表面張力による最充填（リフィル）に対して抵抗になる。供給流体抵抗部２１を適宜に選択することで、残留圧力の減衰とリフィル時間のバランスが取れ、次のインク滴吐出動作に移行するまでの時間（駆動周期）を短くできる。
【００２４】
次に、液体吐出ヘッド４３４にインクを充填する初期充填動作について説明する。
【００２５】
図４は、初期充填動作時における液体流路の一例を示す模式図である。
液体吐出ヘッド４３４の第一連通部１２１ａに、一端に封止機能付きカップリング８０の第二カップリング部材８０ｂが取り付けられた第一接続管７１の他端を接続する。これにより、第一連通部１２１ａに、接続部たるカップリング部材と、カップリング部材と供給共通液室との間の流路を開閉する開閉弁８０ｂ２とを備えた流路形成手段が接続される。また、第二連通部１２１ｂに、第二接続管７２の一端を接続する。次に、第二接続管７２の他端を、廃液タンク８２に接続し、第二カップリング部材８０ｂを、インク液貯留部８１に接続された供給管８３の先端に取り付けられた第一カップリング部材８０ａに接続する。なお、第二接続管７２の他端を、インク液貯留部８１に接続し、第二カップリング部材８０ｂを、廃液タンク８２に接続された管の先端に取り付けられた第一カップリング部材に接続する構成でもよい。
【００２６】
次に、インク液貯留部内のインクを、ポンプ等により流し、第一連通部１２１ａを介して供給共通液室１２へインクを供給する。すると、供給共通液室１２や各個別液室２３にインクが流れ込み、供給共通液室１２や各個別液室２３にインクが満たされていく。また、供給共通液室内の空気が、第二連通部１２１ｂ、第二接続管７２を通って廃液タンク８２に排出される。
【００２７】
供給共通液室１２に液体が満たされると、第二連通部１２１ｂからインクが排出され、廃液タンク８２へ排出される。そして、廃液タンク８２にインクが排出されたら、液体吐出ヘッド４３４へのインク供給を停止する。これにより、確実なインクの充填を行なうことができ、液体吐出ヘッド内に空気が残留するのを抑制することができる。また、この例では、廃液タンク８２にインクが排出されたら、液体吐出ヘッド４３４へのインク供給を停止しているが、例えば、廃液タンク８２へ排出されるインクに空気が含まれなくなって所定量インクを排出してからインク供給を停止するようにしてもよい。
【００２８】
また、供給共通液室１２の両端に連通部を設け、一端の連通部からインクを供給し、他端の連通部からインクを排出することで、効率よく液体吐出ヘッド４３４内の空気を排出することができ、液体吐出ヘッド内に空気が残留するのを良好に抑制することができる。
【００２９】
図５は、初期充填後の作業について説明する図である。
第二カップリング部材８０ｂを、インク液貯留部８１の第一カップリング部材８０ａから取り外す。また、第二接続管７２を、変形させて潰して液体が流れるような状態に変更不能な封止部７３を形成するともに、封止部７３を形成した箇所から、第二接続管７２を切断する。封止部７３は、第二連通部１２１ｂの近傍に形成するのが好ましい。封止部７３を第二連通部１２１ｂの近傍に形成することで、第二接続管７２が液体を吐出する装置内で邪魔になるのを抑制することができる。
【００３０】
第二接続管７２の材質がチューブなどの熱可塑性樹脂の場合は、熱溶着を行うことで封止部７３を形成し、かつ、封止部７３を形成した箇所から第二接続管７２を切断することができる。また、第二接続管７２が金属などの場合は、圧着により封止部７３を形成することができる。また、第二接続管７２の封止部７３を形成する箇所のみを金属管とし、その金属管を圧着して封止部７３を形成してもよい。なお、封止のし易さ等の観点から、金属の圧着による封止よりも、熱可塑性樹脂の熱溶着による封止の方が好ましい。
【００３１】
また、熱可塑性樹脂の熱溶着としては、例えば、折り曲げるなどして潰した第二接続管７２の箇所に熱を直接加えて熱溶着してもよいし、潰した箇所の管の内周面を超音波振動させて摩擦熱により溶着する超音波溶着を用いてもよい。超音波溶着は、熱を直接加えて熱溶着する方法に比べて、短時間で溶着が行えるなどの利点があり、超音波溶着で溶着するのが好ましい。
【００３２】
これにより、先の図１に示した、第一連通部１２１ａに第一接続管７１と第二カップリング部材８０ｂとを備えた流路形成手段が接続され、第二連通部１２１ｂに先端が潰されて液体が流れるような状態に変更不能な封止部７３が形成された第二接続管７２が接続された液体吐出ヘッドが製造される。
【００３３】
上記のようにして製造された液体吐出ヘッド４３４は、第一連通部１２１ａは第二カップリング部材８０ｂにより封止され、第二連通部１２１ｂは第二接続管７２の封止部７３により封止されるので、これら連通部から空気が入り込むことがない。このようにして製造された液体吐出ヘッドを、液体を吐出する装置に取り付けた後、第二カップリング部材８０ｂを、一端がヘッドタンクに接続された管の他端に取り付けた第一カップリング部材に接続する。これにより、ノズルから吐出されて消費されたインク液がヘッドタンクから液体吐出ヘッド４３４に補給される。
【００３４】
図６は、従来の液体吐出ヘッド４３４’を示している。
従来においては、第一連通部１２１ａ、第二連通部１２１ｂそれぞれに接続管と第二カップリング部材８０ｂとで構成された流路形成手段が接続されていた。そして、第一連通部１２１ａおよび第二連通部１２１ｂのいずれか一方の第二カップリング部材８０ｂをインク液貯留部８１に接続された管の先端に取り付けられた第一カップリング部材に接続し、他方の第二カップリング部材８０ｂを廃液タンク８２に接続された管の先端に取り付けられた第一カップリング部材に接続して初期充填動作を実行する。初期充填動作が終了したら、第一連通部１２１ａ、第二連通部１２１ｂの第二カップリング部材を第一カップリング部材から取り外すことで、インクが充填された液体吐出ヘッドを得ることができる。第一連通部１２１ａ、第二連通部１２１ｂは、第二カップリング部材により封止されるので、第一連通部１２１ａ、第二連通部１２１ｂから空気が入り込むことがない。
【００３５】
しかしながら、従来の液体吐出ヘッドにおいては、第一連通部１２１ａと第二連通部１２１ｂの両方に封止機能付きのカップリング部材を備えた流路形成手段が接続されるため、装置のコストアップに繋がるという課題がある。また、封止機能付きのカップリング部材を両方に設けることで、装置の大型化に繋がるという課題もある。
【００３６】
一方、本実施形態においては、第二連通部１２１ｂには、先端を潰して封止部７３とした第二接続管７２が接続されるので、図６に示す従来の構成に比べて部品点数を削減することができ、装置のコストアップを抑えることができ、かつ、装置の大型化を抑制することができる。
【００３７】
なお、初期充填動作前に、先端を潰して封止部７３とした第二接続管７２を接続した場合は、液体吐出ヘッド内の空気を良好に抜けず第二接続管７２に空気が残留してしまう。また、初期充填動作後に、第二接続管７２から、先端を潰して封止部７３が形成された管を付け替えた場合も、付け替え時に空気が入り込み、管に空気が残留してしまう。本実施形態のように、初期充填動作終了後に、第二接続管７２を潰して封止部７３を形成することで、第二接続管７２に空気が残留することがなく、第二接続管７２をインクで満たすことができる。言い換えれば、第二接続管７２がインクで満たされていれば、初期充填後に封止部７３を形成したと判断することができる。
【００３８】
また、本実施形態では、第二接続管７２を潰して液体が流れるような状態に変更不能な封止部を形成しているが、第二連通部１２１ｂを潰して液体が流れるような状態に変更不能な封止部を形成してもよい。この構成においては、第二接続管７２も不要となり、さらなるコストダウンを図ることができる。なお、共通液室から凸状に拡張された部分があれば、その部分が、連通部１２１ｂを潰して液体が流れるような状態に変更不能な封止部を形成したものと判断することができる。
【００３９】
また、本実施形態では、接続部たるカップリング部材に開閉弁を設けているが、カップリング部材と開閉弁とを別々に設けた構成でもよい。また、第一連通部１２１ａに接続される流路形成手段を、第一接続管７１の先端に開閉弁を設け、この開閉弁に接続部としての接続パイプを設けた構成でもよい。
【００４０】
また、連通部を３つ以上設けてもよい。かかる構成においては、インク吐出動作において、ヘッドタンクからインクが供給される連通部には、先端に部品が接続可能な接続部を有し、この接続部と連通部との間の流路を開閉する開閉弁とを備えた流路系背手段を接続し、残りの連通部を部品着脱不能に封止する。
【００４１】
次に、変形例について説明する。
【００４２】
図７は、変形例の液体吐出ヘッドの液体流路の構成を示す模式図であり、図８は、一つの個別液室２３をノズル配列方向と直交する方向に沿って切断した変形例の液体吐出ヘッドの断面図である。
この変形例の液体吐出ヘッドは、個別液室２３からインクが流れ込む循環共通液室５０を有しており、この循環共通液室５０に流れ込んだインクを、ヘッドタンクへ戻して、インクを循環させるインク循環型の液体吐出ヘッドである。循環共通液室５０は、図８に示すように、供給共通液室１２が形成されたフレーム１に形成されている。
【００４３】
また、循環共通液室５０のノズル配列方向（図中左右方向）の他端（図中左側）には、液体吐出ヘッドの外周面に到り外部と連通する循環拡張部たる第一循環連通部１５１ａが設けられており、一端（図中右側）には、循環拡張部たる第二循環連通部１５１ｂが設けられている。第一循環連通部１５１ａには、一端に封止機能付きカップリング８０の第二カップリング部材８０ｂが取り付けられた第一循環接続管９１の他端が取り付けられており、第二循環連通部１５１ｂには、潰されて形成された封止部９３を先端に備えた第二循環接続管９２が取り付けられている。第二カップリング部材８０ｂは、ヘッドタンクに接続された循環管の先端に取り付けられた第一カップリング部材に接続されている。
【００４４】
第一連通部１２１ａを、ノズル配列方向の一端側に設け、第一循環連通部１５１ａをノズル配列方向の他端側に設けているが、これに限られるものではなく、第一連通部１２１ａと第一循環連通部１５１ａとを、ノズル配列方向の一端側に設けてもよい。しかし、第一連通部１２１ａと第一循環連通部１５１ａとを互いに異なる端部側に設けることで、ノズル配列方向一端側と他端側とでそれぞれ封止機能付きカップリング８０が、ひとつずつ配置されることになり、バランスのとれた配置にすることができ、好ましい。
【００４５】
吐出動作により、ノズル３１から気泡を巻き込んだり、十分に脱気されていなかったインクが使用されたりすることによって、個別液室２３に気泡が混入することがある。このように個別液室２３に気泡が滞留すると、インク吐出時の圧力変化が緩和されてしまい、十分な速度が得られないなど吐出特性に影響を及ぼす。また、液体吐出ヘッド４３４では、インクが長い時間、吐出されずに滞留していると、ノズル３１から揮発成分が揮発して粘度が上昇し、吐出特性が変化したり、ノズル３１の周りに固着したりして、吐出曲がりなどの要因となる。
【００４６】
そのため、この変形例では、循環共通液室５０を設け、個別液室２３内の気泡や粘度が上昇したインクを循環共通液室５０へ流し、循環共通液室５０からヘッドタンクへインクを戻してインクを循環させている。
【００４７】
図９は、インク循環システムの一例を示すブロック図である。
図９に示すように、インク循環システムは、メインタンク４１０、液体吐出ヘッド４３４、ヘッドタンク４３５、供給側ポンプ４３８ａ、循環側ポンプ４３８ｂ、送液ポンプ４３８ｃ、供給側圧力センサ４３９ａ及び循環側圧力センサ４３９ｂなどで構成されている。供給側圧力センサ４３９ａは、供給側ポンプ４３８ａと液体吐出ヘッド４３４との間に設けられている。また、循環側圧力センサ４３９ｂは、液体吐出ヘッド４３４と循環側ポンプ４３８ｂとの間に設けられている。そして、供給側圧力センサ４３９ａで正圧、循環側圧力センサ４３９ｂで負圧が検知されるように、供給側ポンプ４３８ａ及び循環側ポンプ４３８ｂでインクを流す。これにより、ヘッドタンク４３５から第一連通部１２１ａを通って供給共通液室１２に流入する。供給共通液室１２に流入したインクは、個別液室２３を通って、循環共通液室５０へ流れ、第一循環連通部１５１ａから排出されてヘッドタンク４３５に戻るように、インクが循環する。この例では、ポンプによりインクを循環させているが、例えば、ヘッドタンク４３５内に加圧空気を送り込んでインクを加圧することでインクを循環させてもよい。
【００４８】
また、供給側圧力センサ４３９ａが一定正圧、循環側圧力センサ４３９ｂが一定負圧となるように、供給側ポンプ４３８ａ及び循環側ポンプ４３８ｂを常に制御し続ける。これにより、液体吐出ヘッド４３４内を通ってインクを循環させつつ、メニスカスの負圧を一定に保つことができる。
【００４９】
このように、インクを循環させることで、液体吐出ヘッド４３４内の気泡が、インクとともに第一循環連通部１５１ａから排出され、液体吐出ヘッド４３４内の気泡を取り除くことができる。また、ノズル３１から揮発成分が揮発して粘度上昇したインクを、第一循環連通部１５１ａから排出することができる。これにより、良好な吐出特性を維持することができる。また、定期的に液滴を吐出させることで常にノズル３１近傍の液滴の状態を吐出に適した状態に維持するものに比べて、インクの無駄な消費がなくなり、ランニングコストの上昇を抑えることができる。
【００５０】
また、液体吐出ヘッド４３４のノズル３１から液滴を吐出すると、ヘッドタンク４３５内のインク量が減少していくため、適宜メインタンク４１０から送液ポンプ４３８ｃを用いて、ヘッドタンク４３５にインクを補充することが望ましい。メインタンク４１０からヘッドタンク４３５へのインク補充のタイミングは、ヘッドタンク４３５内のインクの液面高さが所定高さよりも下がったらインク補充を行うなど、ヘッドタンク４３５内に設けた液面センサなどの検知結果によって制御することができる。
【００５１】
図１０は、インク循環システムの他の例を示すブロック図である。
図１０に示す液体循環システム５３０は、メインタンク５０２、液体吐出ヘッド４３４、供給タンク５３１、循環タンク５３２、コンプレッサ５３３、真空ポンプ５３４、第一送液ポンプ５３５、第二送液ポンプ５３６、供給側圧力センサ５３７、循環側圧力センサ５３８、レギュレータ（Ｒ）５３９ａ，５３９ｂなどで構成されている。供給側圧力センサ５３７は、供給タンク５３１と液体吐出ヘッド４３４との間に配置されている。循環側圧力センサ５３８は、液体吐出ヘッド４３４と循環タンク５３２との間に接続されている。
【００５２】
循環タンク５３２の一方は、第一送液ポンプ５３５を介して供給タンク５３１と接続されており、循環タンク５３２の他方は第二送液ポンプ５３６を介してメインタンク５０２と接続されている。これにより、供給タンク５３１から液体吐出ヘッド４３４内にインクが流入し、液体吐出ヘッドから循環タンク５３２へインクが排出される。そして、さらに第一送液ポンプ５３５によって循環タンク５３２から供給タンク５３１へ液体が送られることによって液体が循環する。また、供給タンク５３１にはコンプレッサ５３３がつなげられており、供給側圧力センサ５３７で所定の正圧が検知されるように制御される。一方、循環タンク５３２には真空ポンプ５３４がつなげられており、循環側圧力センサ５３８で所定の負圧が検知されるよう制御される。これにより、液体吐出ヘッド４３４内を通って液体を循環させつつ、メニスカスの負圧を一定に保つことができる。
【００５３】
また、液体吐出ヘッド４３４のノズル３１から液体を吐出すると、供給タンク５３１及び循環タンク５３２内の液体量が減少していく。そのため、適宜メインタンク５０２から第二送液ポンプ５３６を用いて、メインタンク５０２から循環タンク５３２に液体を補充することが望ましい。メインタンク５０２から循環タンク５３２への液体補充のタイミングは、循環タンク５３２内のインクの液面高さが所定高さよりも下がったら液体補充を行うなど、循環タンク５３２内に設けた液面センサなどの検知結果によって制御することができる。
【００５４】
この変形例の液体吐出ヘッドの初期充填は、液体吐出ヘッド４３４の第一連通部１２１ａに、一端に封止機能付きカップリング８０の第二カップリング部材８０ｂが取り付けられた第一接続管７１の他端を取り付け、第二連通部１２１ｂに、熱可塑性樹脂からなる第二接続管７２の一端を取り付ける。次に、第二接続管７２の他端を、廃液タンク８２に接続し、第二カップリング部材８０ｂを、インク液貯留部８１に接続された管の先端に取り付けられた第一カップリング部材８０ａに接続する。
【００５５】
同様に、液体吐出ヘッド４３４の第一循環連通部１５１ａに、一端に第二カップリング部材８０ｂが取り付けられた第一循環接続管９の他端を取り付け、第二循環連通部１５１ｂに、熱可塑性樹脂からなる第二循環接続管９２の一端を接続する。次に、第二循環接続管９２の他端を、廃液タンク８２に接続し、第二カップリング部材８０ｂを、インク液貯留部８１に接続された管の先端に取り付けられた第一カップリング部材８０ａに接続する。
【００５６】
次に、インク液貯留部内のインクを、ポンプ等により流し、供給共通液室１２と循環共通液室５０へインクを供給する。すると、供給共通液室１２、循環共通液室５０および各個別液室２３にインクが流れ込み、供給共通液室１２、循環共通液室５０および各個別液室２３にまた、供給共通液室内の空気が、第二連通部１２１ｂから排出され、循環共通液室５０の空気が第二循環連通部１５１ｂから排出される。次に、第二接続管７２と第二循環接続管９２から廃液タンク８２へインクが排出されたら、インクの供給を停止する。そして、第二接続管７２の第二連通部１２１ｂの近傍と、第二循環接続管９２の第二循環連通部１５１ｂの近傍をそれぞれ潰して溶着し、封止部７３，９３を形成する。
【００５７】
第二連通部１２１ｂと第二循環連通部１５１ｂがないインク循環型の液体吐出ヘッドでは、液体吐出ヘッドにインクを良好に充填することができず、供給共通液室１２や循環共通液室５０に空気が残留してしまう。具体的には、第二連通部１２１ｂと第二循環連通部１５１ｂがないインク循環型の液体吐出ヘッドにおいては、供給共通液室１２の連通部を、インク液貯留部８１に接続し、循環共通液室５０の連通部を廃液タンク８２に接続して、初期充填を行なうことになる。しかし供給共通液室１２の下方に配置された各個別液室２３が、供給共通液室１２へ供給されたインクにより満たされてしまうと、供給共通液室１２内の空気の逃げ場なくなってしまい、供給共通液室１２内に空気が残留してしまう。また、各個別液室２３から循環共通液室５０へ流れたインクは、循環共通液室５０の連通部へ向けて流れていくため、循環共通液室５０の連通部から離れた箇所では、インクが滞留し、空気を押し流すことができず、循環共通液室５０に空気が残留するおそれがある。
【００５８】
一方、この変形例では、供給共通液室１２の両端に連通部を設けることで、一方の連通部からインクを供給しながら、他方の連通部から供給共通液室の空気を排出することができる。これにより、供給共通液室１２に空気が残留するのを抑制できる。また、循環共通液室５０の両端に循環連通部を設けることで、一方の循環連通部からインクを供給しながら他方の循環連通部からインクを排出することで、循環共通液室５０の一端から他端へ向けてインクを流すことができ、インクの流れで循環共通液室内の空気を、良好に排出することができる。これにより、循環共通液室内に空気が残留するのを抑制することができる。
【００５９】
また、変形例でも、初期充填後に第二接続管７２と、第二循環接続管９２を潰して液体が流れるような状態に変更不能な封止部を形成することで、初期充填後に第二連通部１２１ｂや第二循環連通部１５１ｂから空気が入り込むのを防止することができる。また、コストダウンを図ることができ、かつ、装置の大型化を抑制することができる。
【００６０】
また、第二連通部１２１ｂと第二循環連通部１５１ｂを潰して封止部を形成してもよい。また、循環連通部を３つ以上設けてもよい。インク吐出動作において、ヘッドタンクへインクを戻すための循環連通部には、先端に部品が接続可能な接続部を有し、この接続部と上記循環連通部との間の流路を開閉する開閉弁とを備えた流路形成手段を接続し、残りの循環接続部を、部品着脱不能に封止する。
【００６１】
次に、実施形態に係る液体吐出ヘッド４３４を適用可能な液体を吐出する装置の一例を、図１１及び図１２を参照して説明する。図１１は本実施形態に係る液体を吐出する装置の要部平面説明図であり、図１２は本実施形態に係る液体を吐出する装置の要部側面説明図である。この液体を吐出する装置は、シリアル型装置であり、主走査移動機構５９３によって、キャリッジ５０３は主走査方向に往復移動する。主走査移動機構５９３は、ガイド部材５０１、主走査モータ５０５、及び、タイミングベルト５０８等で構成されている。ガイド部材５０１は、装置長手方向両側に設けられた側板５９１Ａ，５９１Ｂに架け渡されており、キャリッジ５０３を移動可能に保持している。キャリッジ５０３は、主走査モータ５０５によって、駆動プーリ５０６と従動プーリ５０７との間に架け渡したタイミングベルト５０８を介して装置長手方向である主走査方向に往復移動される。
【００６２】
このキャリッジ５０３には、複数の液体吐出ヘッド４３４を搭載した液体吐出ユニット５４０が設けられている。液体吐出ユニット５４０は、液体吐出ヘッド４３４は、例えば、イエロー（Ｙ）、シアン（Ｃ）、マゼンタ（Ｍ）、ブラック（Ｋ）の各色の液体を吐出する。また、液体吐出ヘッド４３４は、複数のノズル３１からなるノズル列を主走査方向と直交する副走査方向に配置し、吐出方向を下方に向けて装着している。
【００６３】
液体を吐出する装置は、用紙５１０を搬送するための搬送機構５９５を備えている。搬送機構５９５は、搬送手段である搬送ベルト５１２、搬送ベルト５１２を駆動するための副走査モータ５１６などで構成されている。搬送ベルト５１２は、用紙５１０を吸着して液体吐出ヘッド４３４に対向する位置で搬送する。この搬送ベルト５１２は、無端状ベルトであり、搬送ローラ５１３とテンションローラ５１４との間に掛け渡されている。搬送ベルト５１２への用紙５１０の吸着は、静電吸着あるいはエアー吸引などで行うことができる。搬送ベルト５１２は、副走査モータ５１６によってタイミングベルト５１７及びタイミングプーリ５１８を介して搬送ローラ５１３が回転駆動されることによって、副走査方向に周回移動する。
【００６４】
キャリッジ５０３の主走査方向の一方側には、搬送ベルト５１２の側方に液体吐出ヘッド４３４の維持回復を行う維持回復機構５２０が配置されている。維持回復機構５２０は、例えば液体吐出ヘッド４３４のノズル面（ノズル３１が形成された面）をキャッピングするキャップ部材５２１や、ノズル面を払拭するワイパ部材５２２などで構成されている。
【００６５】
主走査移動機構５９３、維持回復機構５２０、及び、搬送機構５９５は、側板５９１Ａ，５９１Ｂ及び背板５９１Ｃなどで構成される筐体に取り付けられている。このように構成した、液体を吐出する装置においては、用紙５１０が搬送ベルト５１２上に給紙されて吸着され、搬送ベルト５１２の周回移動によって用紙５１０が副走査方向に搬送される。そして、キャリッジ５０３を主走査方向に移動させながら画像信号に応じて液体吐出ヘッド４３４を駆動することにより、停止している用紙５１０に液体を吐出して画像を形成する。このように、液体を吐出する装置では、液体吐出ヘッド４３４を備えているので、高画質画像を安定して形成することができる
【００６６】
次に、液体吐出ユニット５４０の他例について図１３を参照して説明する。図１３は同ユニットの要部平面説明図である。この液体吐出ユニット５４０は、前記液体を吐出する装置を構成している部材のうち、側板５９１Ａ，５９１Ｂ及び背板５９１Ｃで構成される筐体部分と、主走査移動機構５９３と、キャリッジ５０３と、液体吐出ヘッド４３４とで構成されている。なお、この液体吐出ユニット５４０の例えば側板５９１Ｂに、前述した維持回復機構５２０の少なくともいずれかを更に取り付けた液体吐出ユニット５４０を構成することもできる。
【００６７】
本実施形態において、「液体吐出ヘッド」とは、ノズルから液体を吐出・噴射する機能部品である。吐出される液体は、ヘッドから吐出可能な粘度や表面張力を有するものであればよく、特に限定されないが、常温、常圧下において、または加熱、冷却により粘度が３０[ｍＰａ・ｓ]以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどである。これらは例えば、インクジェット用インク、表面処理液、電子素子や発光素子の構成要素や電子回路レジストパターンの形成用液、３次元造形用材料液等の用途で用いることができる。液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどを使用するものが含まれる。
【００６８】
「液体吐出ユニット」とは、液体吐出ヘッドに機能部品、機構が一体化したものであり、液体の吐出に関連する部品の集合体である。例えば、「液体吐出ユニット」は、供給循環機構、キャリッジ、維持回復機構、主走査移動機構の構成の少なくとも一つを液体吐出ヘッドと組み合わせたものなどが含まれる。ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていても良い。
【００６９】
例えば、液体吐出ユニットとして、液体吐出ヘッドと供給循環機構が一体化されているものがある。また、チューブなどで互いに接続されて、液体吐出ヘッドと供給循環機構が一体化されているものがある。ここで、これらの液体吐出ユニットの供給循環機構と液体吐出ヘッドとの間にフィルタを含むユニットを追加することもできる。また、液体吐出ユニットとして、液体吐出ヘッドとキャリッジが一体化されているものがある。また、液体吐出ユニットとして、液体吐出ヘッドを走査移動機構の一部を構成するガイド部材に移動可能に保持させて、液体吐出ヘッドと走査移動機構が一体化されているものがある。また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。また、液体吐出ユニットとして、供給循環機構若しくは流路部品が取付けられた液体吐出ヘッドにチューブが接続されて、液体吐出ヘッドと供給機構が一体化されているものがある。このチューブを介して、液体貯留源の液体が液体吐出ヘッドに供給される。主走査移動機構は、ガイド部材単体も含むものとする。また、供給機構は、チューブ単体、装填部単体も含むものとする。
【００７０】
「液体を吐出する装置」は、液体吐出ヘッドまたは液体吐出ユニットを備え、液体吐出ヘッドを駆動させて、液体を吐出させる装置である。液体を吐出する装置には、液体が付着可能なものに対して液体を吐出することが可能な装置だけでなく、液体を気中や液中に向けて吐出する装置も含まれる。この「液体を吐出する装置」は、液体が付着可能なものの給送、搬送、排紙に係わる手段、その他、前処理装置、後処理装置なども含むことができる。
【００７１】
例えば、「液体を吐出する装置」として、インクを吐出させて用紙に画像を形成する装置である画像形成装置、立体造形物（三次元造形物）を造形するために、粉体を層状に形成した粉体層に造形液を吐出させる立体造形装置（三次元造形装置）がある。また、「液体を吐出する装置」は、吐出された液体によって文字、図形等の有意な画像が可視化されるものに限定されるものではない。例えば、それ自体意味を持たないパターン等を形成するもの、三次元像を造形するものも含まれる。
【００７２】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。上記「液体が付着可能なもの」の材質は、紙、糸、繊維、布帛、皮革、金属、プラスチック、ガラス、木材、セラミックスなど液体が一時的でも付着可能であればよい。
【００７３】
また、「液体」は、ヘッドから吐出可能な粘度や表面張力を有するものであればよく、特に限定されないが、常温、常圧下において、または加熱、冷却により粘度が３０[ｍＰａ・ｓ]以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどである。これらは例えば、インクジェット用インク、表面処理液、電子素子や発光素子の構成要素や電子回路レジストパターンの形成用液、３次元造形用材料液等の用途で用いることができる。
【００７４】
また、「液体を吐出する装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。また、「液体を吐出する装置」としては他にも、用紙の表面を改質するなどの目的で、用紙の表面に処理液を塗布するために処理液を用紙に吐出する処理液塗布装置がある。また、原材料を溶液中に分散した組成液をノズルを介して噴射させて、原材料の微粒子を造粒する噴射造粒装置などがある。また、本願の用語における、画像形成、記録、印字、印写、印刷、造形等はいずれも同義語とする。
【００７５】
以上に説明したものは一例であり、次の態様毎に特有の効果を奏する。
（態様１）
インクなど液体を吐出する複数のノズル３１と、複数のノズルにそれぞれ通じる複数の個別液室２３と、複数の個別液室２３に通じる供給共通液室１２などの共通液室とを備え、共通液室は、ヘッド外部に到る複数の連通部１２１ａ，１２１ｂなどの拡張部を有する液体吐出ヘッドにおいて、複数の拡張部のうちの少なくともひとつは、部品が接続可能なカップリング部材などの接続部と、前記接続部と前記共通液室との間の流路を開閉する開閉弁８０ｂ２とを備えた流路形成手段（本実施形態では、第一接続管７１と開閉弁８０ｂ２を有する第二カップリング部材８０ｂとで構成）が接続されており、残りの拡張部は前記液体が流れるような状態に変更不能に封止した。
先の特許文献１に記載の液体吐出ヘッドにおいては、すべての拡張部に、継手などの接続部と開閉弁とを備えた流路形成手段が連結されており、コストアップに繋がる。
そこで、態様１では、複数の拡張部のうちの少なくともひとつには、部品が接続可能なカップリング部材などの接続部と、接続部と共通液室との間の流路を開閉する開閉弁とを備えた流路形成手段を接続し、残りの拡張部は、前記液体が流れるような状態に変更不能に封止した。液体が流れるような状態に変更不能、すなわち、流れが生じない状態しか取りえない封止は、拡張部や、拡張部に接続されたチューブなどの筒状部材を、初期充填後に潰して封止部を形成することで得ることができる。このようにして、拡張部を液体が流れるような状態に変更不能に封止することで、初期充填後に拡張部から共通液室に空気などが入り込むのを抑制できる。また、すべての拡張部に接続部と開閉弁とを備えた流路形成手段を接続するものに比べて、装置のコストダウンを図ることができる。
また、複数の拡張部のうちの少なくともひとつは、接続部と開閉弁とを備えた流路手段を接続することで、液体を吐出する動作を行なうときは、この接続部に液体供給手段を接続することで、液体の吐出により消費された液体を液体吐出ヘッドに補給することができる。
【００７６】
（態様２）
態様１において、第二連通部１２１ｂなどの残りの拡張部または残りの拡張部に接続された第二接続管７２などの筒状部材が潰された封止部７３を設けることで、残りの拡張部を液体が流れるような状態に変更不能に封止した。
これによれば、実施形態で説明したように、初期充填動作後に第二接続管７２などの筒状部材または第二連通部１２１ｂなどの残りの拡張部を潰して、封止部７３を形成することができ、例えば、キャップ部材などで筒状部材や残りの拡張部を塞いで封止するものに比べて、残りの拡張部を介してヘッド内に空気を入り込むなどの不具合が生じるのを抑制することができる。
【００７７】
（態様３）
態様２において、第二連通部１２１ｂなどの残りの拡張部の内層または拡張部に接続された第二接続管７２などの筒状部材の内層は、熱可塑性樹脂で形成されており、前記内層が溶着されて前記封止部７３が形成されている。
これによれば、実施形態で説明したように、金属を圧着して封止部７３を形成するよりも容易に封止部７３を形成するこができる。
【００７８】
（態様４）
態様１乃至３いずれかにおいて、共通液室は、個別液室２３にインクなどの液体を供給する供給共通液室１２であり、供給共通液室１２のノズル配列方向両端それぞれに連通部などの拡張部が形成されている。
これによれば、実施形態で説明したように、初期充填時において、供給共通液室１２のノズル配列方向一端の連通部などの拡張部からインクなどの液体を供給しながら、他端の拡張部から供給共通液室内の空気を排出することができ、供給共通液室１２に空気が残留するのを抑制して良好に供給共通液室１２に液体を充填することができる。
【００７９】
（態様５）
態様４において、複数の個別液室２３からインクなどの液体が流れ込む循環共通液室５０を有し、循環共通液室５０は、ヘッド外部に到る複数の循環連通部１５１ａ，１５１ｂなどの循環拡張部を有しており、複数の循環拡張部のうちの少なくともひとつは、部品が接続可能な第二カップリング部材８０ｂなどの接続部と、接続部と循環共通液室５０との間の流路を開閉する開閉弁８０ｂ２とを備えた流路形成手段（本実施形態では、第一循環接続管９１と、開閉弁を有する第二カップリング部材とで構成）が接続されており、残りの循環拡張部は、液体が流れるような状態に変更不能に封止されている。
これによれば、変形例で説明したように、初期充填時においては、複数の循環拡張部の少なくともひとつから液体を供給しながら、残りの循環拡張部から空気を排出して、循環共通液室５０に液体を充填することができ、循環共通液室５０に空気が残留するのを抑制することができる。
また、初期充填後は、上記残りの循環拡張部や、上記残りの循環拡張部に接続された第二循環接続管９２などの筒状部材を潰して封止することにより、空気が入り込むことなく、部品が接続不能に封止することができる。また、すべての循環拡張部に接続部と開閉弁とを備えた流路形成手段を接続するものに比べて、装置のコストダウンを図ることができる。
また、複数の循環拡張部のうちの少なくともひとつは、接続部と開閉弁とを備えた流路形成手段を接続することで、液体を吐出する動作を行なうときは、この接続部にヘッドタンクへ戻すための流路形成部材を接続することで、液体吐出ヘッド内の液体を循環させることができる。
【００８０】
（態様６）
態様５において、循環共通液室５０のノズル配列方向の両端それぞれに循環連通部１５１ａ，１５１ｂなどの循環拡張部が設けられている。
これによれば、変形例で説明したように、初期充填において、循環共通液室５０のノズル配列方向一端の循環連通部などの循環拡張部からインクなどの液体を供給しながら、ノズル配列方向他端の循環連通部などの循環拡張部から循環共通液室５０内の空気を排出することができ、良好に循環共通液室内に液体を充填することができ、循環共通液室５０に空気が残留するのを抑制することができる。
【００８１】
（態様７）
液体を吐出させる液体吐出ヘッド４３４を備えた液体を吐出する装置において、前記液体吐出ヘッドとして、態様１乃至６いずれかの液体吐出ヘッドを用いた。
これによれば、装置のコストダウンを図ることができ、かつ、装置の大型化を抑制することができる。
【００８２】
（態様８）
液体を吐出する複数のノズル３１と、複数の前記ノズル３１にそれぞれ通じる複数の個別液室２３と、複数の前記個別液室２３に通じる供給共通液室１２などの共通液室とを備え、共通液室は、ヘッド外部に到る複数の連通部１２１ａ，１２１ｂなどの拡張部を有する液体吐出ヘッドを製造する液体吐出ヘッドの製造方法において、複数の拡張部のうちの少なくともひとつに、部品が接続可能な第二カップリング部材８０ｂなどの接続部と、接続部と共通液室との間の流路を開閉する開閉弁８０ｂ２とを備えた流路形成手段を接続する工程と、複数の拡張部の少なくともひとつから共通液室へ液体を供給して液体吐出ヘッド内へ液体を充填する工程と、流路形成手段が接続されていない第二連通部１２１ｂなどの残りの拡張部に、液体が流れるような状態に変更不能な封止部７３を形成する工程とを有する。
これによれば、実施形態で説明したように、液体吐出ヘッド内に空気が入り込むのを抑制し、かつ、安価に液体吐出ヘッドを製造することができる。
【００８３】
（態様９）
態様８において、第二連通部１２１ｂなどの残りの拡張部、または、前記残りの拡張部に接続された第二接続管７２などの筒状部材を溶着により溶着して前記封止部７３を形成した。
これによれば、実施形態で説明したように、容易に封止部を形成することができる。
【符号の説明】
【００８４】
１２      ：供給共通液室
２３      ：個別液室
３１      ：ノズル
５０      ：循環共通液室
７１      ：第一接続管
７２      ：第二接続管
７３      ：封止部
７４      ：供給管
８０      ：封止機能付きカップリング
８０ａ    ：第一カップリング部材
８０ｂ    ：第二カップリング部材
８１      ：インク液貯留部
８２      ：廃液タンク
９１      ：第一循環接続管
９２      ：第二循環接続管
９３      ：封止部
１２１ａ  ：第一接続部
１２１ｂ  ：第二接続部
１５１ａ  ：第一循環接続部
１５１ｂ  ：第二循環接続部
４３４    ：液体吐出ヘッド
４３５    ：ヘッドタンク
【先行技術文献】
【特許文献】
【００８５】
【特許文献１】特開２０１２−６３７４号公報
【図１】
2019130873.tif 000003
【図２】
2019130873.tif 000004
【図３】
2019130873.tif 000005
【図４】
2019130873.tif 000006
【図５】
2019130873.tif 000007
【図６】
2019130873.tif 000008
【図７】
2019130873.tif 000009
【図８】
2019130873.tif 000010
【図９】
2019130873.tif 000011
【図１０】
2019130873.tif 000012
【図１１】
2019130873.tif 000013
【図１２】
2019130873.tif 000014
【図１３】
2019130873.tif 000015